(57)【特許請求の範囲】
【請求項１】
正面側壁１が扉２である浴槽３と、
入浴者を乗せた状態で浴槽３に挿入可能な搬送車４と、
湯を貯めるタンク５と、
を備える入浴装置において、
浴槽３は、扉２が設けられる浴槽主部１０と、扉２に対向する側の浴槽主部１０に連続して接続される浴槽副部１１とからなり、座位姿勢又は寝位姿勢にして入浴者を支持できる搬送車４を挿入した状態で入浴できるように、搬送車４に乗せた入浴者の正中線に沿って浴槽３の基側から先側に向けて長尺に形成され、
搬送車４は、搬送車４の背凭れ２７が扉２に対向するように浴槽３内に扉２側から挿入可能であり、
浴槽３内を長尺範囲に占有する寝位入浴と座位入浴を１台の浴槽３で実施可能にすると共に、
タンク５を門型形状に形成して浴槽副部１１の左右と上方に跨って配置することにより入浴装置全体を小型化するように構成した、
ことを特徴とするタンク併設型入浴装置。
【請求項２】
入浴時にタンク５の湯を浴槽３へ移動させる湯移動装置６を備え、浴槽副部１１はその幅を先方漸狭に形成され、浴槽副部１１の左右両外側部に湯移動装置６が配設されてなり、浴槽３を省湯量化及び入浴装置全体を小型化したことを特徴とする請求項１記載のタンク併設型入浴装置。
【請求項３】
搬送車４は座位搬送車１３又は寝位搬送車１４であることを特徴とする請求項１または２記載のタンク併設型入浴装置。
【請求項４】
浴槽副部１１の上面には上側開口部を覆う覆い部材１２が設けられており、覆い部材１２における入浴者の顔面に向かう位置に操作パネル１６が設けられ、
入浴者に装置の作動状況を開示したことを特徴とする請求項１乃至３に記載のタンク併設型入浴装置。
【請求項５】
浴槽３の側壁外装又はタンク５の側壁外装の一部に、一体成形でなる凹形状部９が成形され、この凹形状部９に、薬液ボトル２０を収納可能であり、この凹形状部９の天井面には、薬液ボトル２０に接続する接続管４６が垂下され、この凹形状部９の下面は、浴槽３又はタンク５の外方向に微下降傾斜してなり、薬液ボトル２０のずれ止３４が形成されてなり、
凹形状部９へ出し入れする薬液ボトル２０の扱いが容易であることを特徴とする請求項１乃至４記載のタンク併設型入浴装置。
【請求項６】
浴槽３へ搬送車４を挿入した際に、背凭れ２７の背凭れ角度を鈍角化できるように、背凭れ２７が当接する扉２の上端部に扉凹形状部５２が形成されることを特徴とする請求項１乃至５記載のタンク併設型入浴装置。
【発明の詳細な説明】
【技術分野】
【０００１】
本発明は、身体障害者及び高齢者（以下、要介護者）、特に要介護度の高い要介護者の介護入浴を行なうタンク併設型入浴装置に関するものである。
【背景技術】
【０００２】
従来装置の特許文献１のものは、
チェアトロリーの移動台車に吊り下げたチェア本体を浴槽本体内へ搬入する据置型車椅子入浴装置において、前記チェア本体をリクライニング角度を変更可能にするものである。
【先行技術文献】
【特許文献】
【０００３】
【特許文献１】特許第３４８１７５２号公報
【発明の概要】
【発明が解決しようとする課題】
【０００４】
特許文献１に記載された構成では、チェア本体のリクライニング角度が変更できるので、座位入浴者は後傾の姿勢で入浴ができる。
しかし、特許文献１に記載された浴槽は、座位姿勢の入浴者に使用されるものであって、座位姿勢をとれない寝位姿勢の入浴者には使用が困難であり、汎用性に乏しいものであった。又、従来装置には、座位姿勢が取れる入浴者でも寝位姿勢での入浴しかできないものもあり、汎用性に乏しいものであった。
本発明の目的は、座位入浴と寝位入浴とを1台の浴槽で実施でき、しかも装置を小型化して、便利で経済的で使い易いタンク併設型入浴装置を提供するものである。
【課題を解決するための手段】
【０００５】
上記目的を実現する本発明は、正面側壁１が扉２である浴槽３と、入浴者を乗せた状態で浴槽３に挿入可能な搬送車４と、湯を貯めるタンク５と、を備える入浴装置において、浴槽３は、扉２が設けられる浴槽主部１０と、扉２に対向する側の浴槽主部１０に連続して接続される浴槽副部１１とからなり、座位姿勢又は寝位姿勢にして入浴者を支持できる搬送車４を挿入した状態で入浴できるように、搬送車４に乗せた入浴者の正中線に沿って浴槽３の基側から先側に向けて長尺に形成され、搬送車４は、搬送車４の背凭れ２７が扉２に対向するように浴槽３内に扉２側から挿入可能であり、浴槽３内を長尺範囲に占有する寝位入浴と座位入浴を１台の浴槽３で実施可能にすると共に、タンク５を門型形状に形成して浴槽副部１１の左右と上方に跨って配置することにより入浴装置全体を小型化するように構成したことを特徴とするタンク併設型入浴装置である。
又、入浴時にタンク５の湯を浴槽３へ移動させる湯移動装置６を備え、浴槽副部１１はその幅を先方漸狭に形成され、浴槽副部１１の左右両外側部に湯移動装置６が配設されてなり、浴槽３を省湯量化及び入浴装置全体を小型化した。
更に、搬送車４は座位搬送車１３であり又は寝位搬送車１４であり、これらの両搬送車を浴槽３に適用できる。
更に又、浴槽副部１１の上面には該浴槽副部１１の上側開口部を覆う覆い部材１２が設けられており、覆い部材１２における入浴者の顔面に向かう位置に操作パネル１６が設けられ、入浴者に装置の作動状況を開示した。
又、浴槽３の側壁外装又はタンク５の側壁外装の一部に、一体成形でなる凹形状部９が成形され、この凹形状部９に、薬液ボトル２０を収納可能であり、この凹形状部９の天井面には、薬液ボトル２０に接続する接続管４６が垂下され、この凹形状部９の下面は、薬液ボトル２０を載せる面であり浴槽３又はタンク５の外方向に微下降傾斜してなり、薬液ボトル２０のずれ止３４が形成されてなり、凹形状部９へ出し入れする薬液ボトル２０の扱いが容易である。
又、浴槽３へ搬送車４を挿入した際に、背凭れ２７の背凭れ角度を鈍角化できるように、背凭れ２７が当接する扉２の上端部に扉凹形状部５２が形成される。
【発明の効果】
【０００６】
本発明に係る入浴装置は、正面側壁１が扉２である浴槽３と、入浴者を乗せた状態で浴槽３に挿入可能な搬送車４と、湯を貯めるタンク５と、を備える入浴装置において、浴槽３は、扉２が設けられる浴槽主部１０と、扉２に対向する側の浴槽主部１０に連続して接続される浴槽副部１１とからなり、座位姿勢又は寝位姿勢にして入浴者を支持できる搬送車４を挿入した状態で入浴できるように、搬送車４に乗せた入浴者の正中線に沿って浴槽３の基側から先側に向けて長尺に形成され、搬送車４は、搬送車４の背凭れ２７が扉２に対向するように浴槽３内に扉２側から挿入可能であり、浴槽３内を長尺範囲に占有する寝位入浴と座位入浴を１台の浴槽３で実施可能にすると共に、タンク５を門型形状に形成して浴槽副部１１の左右と上方に跨って配置されるので、入浴者の正中線に沿う方向に長尺に形成されているから、座位姿勢でも寝位姿勢でも入浴でき、座位姿勢の保持が困難な座れない入浴者も１台の浴槽で入浴させることができ、かつ入浴装置全体を小型化でき、好都合である。又、タンク５を浴槽３に載せることができ、タンク５のフレーム（図示省略）を簡略化して形状が維持できるためその形状維持に係るコストを安価に作製することができ、好都合である。
【０００７】
本発明に係る入浴装置３は、浴槽副部１１の先方を漸狭になせば、湯量を節約でき、好都合である。又、浴槽副部１１を先方漸狭に形成することにより生じた両側部の空間へ、湯移動装置６のポンプ３２や管路３１の構成部品を配設すれば、装置を更に小型化でき、好都合である。又、装置内部を効果的に使用できるため、必要容量を確保したうえ、浴槽副部１１の縁高さをより低くでき、浴槽副部１１の底面を浅くでき（＝浴槽副部１１の深さを浅くでき）るため浴槽内が洗い易く、好都合である。

【０００８】
本発明に係る搬送車４は座位搬送車１３であり又は座位姿勢の保持が困難な座れない入浴者のために作られた寝位搬送車１４であり、これらの両搬送車のいずれであっても、１個の浴槽３に連結のうえ収容でき好適に入浴を行なえ、好都合である。
【０００９】
本発明に係る浴槽副部１１の上面には上側開口部を覆う覆い部材１２が設けられており、覆い部材１２が入浴者の下体の一部を覆うので、羞恥心を緩和でき、好都合である。
又、覆い部材１２が設けられ羞恥心を緩和できるので、底面を高くして省湯量化を図ることができ、好都合である。
【００１０】
本発明は、覆い部材１２における入浴者の顔面に向かう位置に、操作パネル１６が設けられるので、操作状況を入浴者に開示できる。入浴者は、操作パネル１６がよく見え、入浴者は浴槽３の湯温や入浴時間等の操作状況が分かり安心であり、好都合である。
更に、介助者にとっては、遠くからでも操作パネル１６が見え、前述の操作状況が分かり、適宜修正操作を易く、安心であり、又、入浴者に設定に係る説明をし易すく、好都合である。
【００１１】
本発明に係る浴槽３の側壁外装又はタンク５の側壁外装の一部に、一体成形でなる凹形状部９が成形され、この凹形状部９に、薬液ボトル２０を収納可能である。
この構成によれば、囲いの無い見える位置に薬液ボトル２０が載置されるので、凹形状部９へ出し入れする薬液ボトル２０の扱いが容易であり楽であり、薬液の維持管理が容易にでき、好都合である。又、装置の側部に浴室壁があっても介助者が通れるだけの隙間があれば薬液ボトル２０の交換ができ、浴室壁が浴槽３のどちら側に有っても薬液ボトル２０の交換ができ、好都合である。浴室壁が浴槽３のどちら側に有るかによって、薬液ボトル２０、配管、タンク５の位置等を調節するといったことが不要となり、製作コストを低減でき、好都合である。
又、凹形状部９を一体成形にして作製しているので、凹形状部９を継ぎ足して構成したものではないので、凹形状部９に係る継ぎ目が無く、外観が美しく、又、薬液がこぼれても装置内に進入せず、薬液による腐食を無くし、耐久性を良好にし、好都合である。
又、薬液ボトル２０は載置している位置で容易に持ち上げることができ、持ち上げ操作により薬液の残量が分かり、補充時期が分かり、残量表示器などの構成を削減できそれに係るコストを低減でき、好都合である。
【００１２】
本発明は、扉２上端部に扉凹形状部５２が形成されている。この扉凹形状部５２は、固定式オーバーフロー口の作用をなしており、浴槽３内に固定式オーバーフロー口を設ける代わりとしている。
上記構成では、浴槽３へ搬送車４を挿入した際に、背凭れ２７の背凭れ角度を鈍角化できるように、背凭れ２７が当接する扉２上端部に扉凹形状部５２が形成されているので、入浴者は上半身を後傾した楽な姿勢で入浴でき、又、寝位搬送車１４を使用する時は背凭れ２７を大幅に後傾でき、好都合である。
又、入浴時に入浴者の頭部下の背凭れ２７部分は、扉２に載る形状となって、快適入浴を確保したうえ、浴槽３の奥行き長さを短縮化でき、占領スペースを小さくし、湯量が節約でき、好都合である。

【図面の簡単な説明】
【００１３】
【図１】本発明の実施例１の浴槽の斜視図である。
【図２】本発明の実施例１の浴槽の平面図である。
【図３】本発明の実施例１の浴槽に座位搬送車を入れた左側面図である。
【図４】本発明の実施例１の浴槽に寝位搬送車を入れた左側面図である。
【図５】本発明の実施例１の配管系統図である。
【図６】本発明の実施例１の寝位搬送車を示す斜視図である。
【発明を実施するための形態】
【実施例１】
【００１４】
以下、図１乃至図６に本発明の実施例１を示している。
図１に示すタンク併設型入浴装置１５は、正面側壁１が扉２である浴槽３と、搬送車４と、タンク５と、湯移動装置６と、操作パネル１６等とからなる。
浴槽３は、扉２が設けられる浴槽主部１０と、浴槽主部１０の扉２に対向する側に浴槽副部１１が連続して接続され、浴槽３の基側から先側に向けて長尺に形成されてなる。
【００１５】
浴槽副部１１はその幅を先方漸狭に形成され、省湯量化を図った構成である。
浴槽副部１１は後記する寝位搬送車１４の長尺下肢受け１９を受容する。
実施例１は、座位入浴を行なえると共に、浴槽３内を長尺範囲に占有する寝位入浴も行なえる構成である。
【００１６】
詳細な記載は省略するが、扉２は、浴槽３に、蝶番１８とロック機構１７とで、開閉及び密閉を可能に設けられる。
浴槽３の左右前端のうち一方側は、蝶番１８が取着され、回動作用をなす。浴槽３の左右前端のうち他方側にはロック片（図示省略）が扉方向に突設され、ロック作用をなす。
扉２の左右端のうち一方側は蝶番１８に取着される。詳細な記載は省略するが、扉２には扉２を浴槽３に密着させるロック機構１７が設けられる。扉２の左右端のうち他方側には、扉２に設けられたロック機構１７により前記ロック片を引き寄せロックする構成が設けられる。
【００１７】
搬送車４の背凭れ２７に対向する側の扉上端部には、扉凹形状部５２が形成されている。この扉凹形状部５２は、固定式オーバーフロー口の作用をなしており、浴槽３内に固定式オーバーフロー口を設ける代わりとしている。浴槽３へ搬送車４を挿入した際の背凭れ２７の背凭れ角度を鈍角化し、浴槽３の奥行き長さの短縮化するものである。
浴槽３には浴槽３内の湯の水面高さを変更できる可変オーバーフロー（図示省略）が設けられる。
【００１８】
浴槽副部１１の上面には上側開口部を覆う覆い部材１２が設けられている。
覆い部材１２における入浴者の顔面に向かう位置に、操作パネル１６が設けられる。
操作パネル１６には、浴槽温度表示器３８と、タンク温度表示器３７と、入浴時間表示器２１、扉２が仮閉め位置にある時に点滅する扉ランプ４７、タンク５が満水になると点灯するタンク満水ランプ８等が設けられる。
諸スイッチ、諸表示器等が入浴者に見えるように操作パネル１６を約２０度に起立させて設ける。
浴槽３の一方の側壁の上面に、入浴スイッチ４８と、退浴スイッチ４９と、停止スイッチ５１とが設けられる。
【００１９】
搬送車４は、入浴者を乗せ搬送すると共に、浴槽３に入浴者と共に押し込まれるものである。
搬送車４は、座位搬送車１３、又は寝位搬送車１４であり、これらの両搬送車は浴槽３に適用できる。
寝位搬送車１４は浴槽３内を長尺範囲に占有する寝位入浴を行なう。
座位搬送車１３は座位入浴を行なう。浴槽３は寝位入浴と座位入浴を実施可能にするものである。
【００２０】
座位搬送車１３は、乗座部２２と、台車２３とからなる。
乗座部２２は、座部２４と、下肢受け２５と、フットレスト２６と、背凭れ２７と、枕２８と、リクライニング機構（図示省略）と、台車２３と、操作ハンドル２９からなる。
台車２３は乗座部２２を載設しており、座位搬送車１３を浴槽３に押し入れると、乗座部２２と、台車２３とが分離し、乗座部２２は浴槽３の底壁３０の上（＝容器内）に移動し、台車２３は底壁３０の下（＝容器外）に移動する。
下肢受け２５は入浴者の下肢を支持するものであり、介助者の操作で回動でき、下垂位置から水平方向へ持ち上げ移動が可能である。
座位搬送車１３は、搬送時は座位とし、入浴の際は、下肢受け２５を水平位へ持ち上げた形状にする。
【００２１】
寝位搬送車１４は、下肢受け２５を座部２４から先方へ向けて長尺に形成してなる長尺下肢受け１９としたものであり、座部２４から前方へ、水平より先方がやや下がって延設される。又、座部２４の高さは、移乗介護の容易さを考慮して、座位搬送車１３のものよりやや高く（５センチ位）構成される。寝位搬送車１４は座位姿勢を取れない入浴者に適するように製作したものである。前記座部２４の高さに係る他の例として、座部２４の高さを座位搬送車１３のものと同高としてもよく、又、座部２４の支持部材７を高さ可変の調節式のものに替えてもよい。
【００２２】
尚、図示を省略するが、座位搬送車１３の台車２３の側部にリミット金具を設け、このリミット金具に対向する浴槽３の側壁部分にリミットスイッチを設ける。寝位搬送車１４にはリミット金具を設けない。尚、リミット金具とリミットスイッチでなる検知器は、磁石と近接スイッチで構成してもよい。又、台車２３にリミットスイッチを設け浴槽３にリミット金具を設けてもよい。磁石と近接スイッチの構成のものに於いても同様に、台車２３に近接スイッチを設け浴槽３に磁石を設けてもよい。
搬送車４を浴槽３にドッキングした際に、検知器は座位搬送車１３と寝位搬送車１４のうちどちらが接続されているかを判別する。前記判別結果から、制御部５４は、湯の水位、肩掛けシャワー（図示省略）、投与噴流等の検知アルゴリズムを変更する。
尚、上記とは逆に、検知器を寝位搬送車１４と浴槽３に設け、座位搬送車１３と寝位搬送車１４のうちどちらが接続されているかを判別するものとしてもよい。
【００２３】
タンク５は湯を貯める容器である。入浴当日の最初入浴の際は、先ず、タンク５に新湯を貯め、入浴の際に、貯湯を浴槽３へ移動する。退浴の際は、浴槽３で使用した湯を戻し、再度貯める容器である。
タンク５の形状は、浴槽副部１１に跨る門型形状であり、浴槽副部１１の左右方向に跨いで設けられる。この跨ぎ構成により、浴槽３の奥行きの短縮化を測っている。
タンク５の形状を更に詳述すると、タンク５の前部は門型形状であり、タンク５の後部は縦薄箱形状であり前部と後部とには仕切りが無く連通している。タンク５の上面には、蓋５３が載置される。
【００２４】
タンク５の側壁外装の一部に、一体成形でなる凹形状部９が成形される。前記凹形状部９に、薬液ボトル２０を収納可能である。又、前記凹形状部９の天井面には、薬液ボトル２０に接続され可撓部材でなる接続管４６が垂下される。又、前記凹形状部９の下面は、タンク５の外方向に微下降傾斜してなり、薬液ボトル２０のずれ止３４が形成されてなる。他の実施例として、一体成形でなる凹形状部９を、浴槽３の側壁外装の一部に成形してもよい。
【００２５】
湯移動装置６は、浴槽３とタンク５の間に接続され、管路３１と、管路３１に設けられる１個のポンプ３２と、４個の電磁弁３３等で構成される。
入浴時にはタンク５の湯を浴槽３へ移動させ、又、退浴時には浴槽３の湯をタンク５へ移動させるものである。
更に、タンク５に増し湯及び増し水をする時には湯温均一化の目的でタンク５の貯湯を管路３１、ポンプ３２を介して循環させる。
前述の通り、浴槽副部１１はその幅が先方漸狭に形成したために、左右両外側部に凹み空間が生じている。この凹み空間に、湯移動装置６を配設し、装置の小型化を図っている。
【００２６】
図５中、３５はタンク増し湯ノズル、３６はタンク排水弁、３９はタンク上限水位スイッチ、４０はタンク中位水位スイッチ、４１はタンク下限水位スイッチ、４２は浴槽上限水位スイッチ、４３は浴槽下限水位スイッチ、４４は増し湯ノズルである。
【００２７】
次に、実施例１のタンク併設型入浴装置１５の使用方法について説明する。
入浴準備に際し、湯と水をミキシングバルブ１９で適温に為して、タンク５へ新湯を供給し貯湯する。この貯湯時はタンク上限水位スイッチ３９が作動するまで給湯する。
【００２８】
入浴者を搬送車４に乗せ、浴槽３の前へ搬送する。
タンク５は、門型形状に構成されて浴槽副部１１に左右方向に跨がって構成され、装置の奥行きが短縮されており、浴室の占有空間を小さくしておりそれ故に搬送車４はその通路を広く取れ浴室での取り回し良好となる。
【００２９】
浴槽３の扉２を、扉２の上縁を掴んで引き開ける。開けておいて上記搬送車４を入浴者と共に浴槽３内へ押し込む。
搬送車４が座位搬送車１３の場合は、搬送車４を浴槽３へ入れる時、介助者は下肢受け２５を水平方向へ回動させ係止する。
【００３０】
座れない入浴者に対しては、寝位搬送車１４を使用する。介助者は、入浴者を担架（図示省略）から寝位搬送車１４へ移乗し、搬送する。
搬送車４を浴槽３へ押し込む際、搬送車４は、底壁３０の前縁にぶつかって乗座部２２が台車２３から分離し、乗座部２２及び入浴者は浴槽３内に入り、台車２３は浴槽３の底壁３０の下に至り容器外で待機する。
【００３１】
搬送車４が寝位搬送車１４の場合は、長尺下肢受け１９及びフットレスト２６は、浴槽副部１１へ進入する。
搬送車４が、座位搬送車１３であっても、又寝位搬送車１４であっても、これらの両搬送車は浴槽３に適用（＝押し込みセッティング）できる。浴槽３内を長尺範囲に占有する寝位入浴と、座位入浴とが実施可能である。
【００３２】
入浴スイッチ４８を押し、ポンプ３２及び電磁弁３３を作動させ、タンク５の湯を浴槽３へ移動させ、給湯する。
暫時給湯の後、浴槽上限水位スイッチ４２が作動してポンプ３２が止まり、湯の供給が止まる。湯面は浴槽上限水位スイッチ４２の位置に至る。
上記給湯により入浴が開始される。
【００３３】
覆い部材１２において、入浴者に対面する位置に、操作パネル１６が設けられ、入浴者は、入浴時間、浴槽温度、その他が見える。
搬送車４の背凭れ２７に対向する側の扉上端部には、扉凹形状部５２が形成されてなり、この扉凹形状部５２は、浴槽３内に固定式のオーバーフロー口の作用をなす。即ち、浴槽３内の湯が大幅に増した時、湯は扉凹形状部５２を通って流れ出る。
暫時入浴の後、退浴するがその際先ず湯を抜く。湯を抜くために退浴スイッチ４９を押す。
退浴スイッチ４９の指令により、ポンプ３２及び電磁弁３３が作動し、浴槽３の湯はタンク５に戻る。湯がタンク５に移動し、タンク中位水位スイッチ４０が作動するとポンプ３２が止まり、湯の移動が止まる。
【００３４】
ポンプ３２が止まった時に浴槽３に残った湯は、浴槽排水弁４５を開けて排水する。
浴槽３内の湯が空になると、扉２を開ける。乗座部２２を浴槽３から引き出す。台車２３も連動して引き出され、乗座部２２は台車２３上に載り一体化される。入浴者を所定場所へ搬送し入浴を終わる。
【００３５】
湯をタンク５へ移動した後、タンク温度センサ５０が湯温の低下を検知し、制御部５４を介して増し湯を行なう。タンク中位水位スイッチ４０の位置より上部にはタンク増し湯ノズル３５から増し湯が注がれる。増し湯は、タンク内の湯の温度を上げ、予め設定した温度に至ると停止する。増し湯中は、前記制御部５４を介して、ポンプ３２と、所要の電磁弁３３が作動して、タンク５内の湯を、循環させ攪拌する。
【００３６】
タンク５の側壁外装の一部に形成された凹形状部９に薬液ボトル２０を収納する。
天井面から垂下した接続管４６を薬液ボトル２０の上口に接続する。薬液ボトル２０は載置位置で容易に持ち上げることができ、持ち上げ操作で薬液の有無を確認する。
この凹形状部９の下面はタンク５の外方向に微下降傾斜しており、下面にこぼれた薬液は、タンク５の外方向に流れ落下する。凹形状部９が一体成形されているのでこぼれた薬液は、側壁の内側には入らず、側壁内の構成部材に付着せず、薬液が構成部材を腐食させることは無い。
凹形状部９の下面に設けられたずれ止３４で薬液ボトル２０の移動を止め、該薬液ボトル２０を下面に載置する。
【００３７】
薬液ボトル２０の薬液は、タンク５又は浴槽３に流入し、湯中の菌を殺す。薬液の残量は、装置周辺からよく見える。薬液を補充する時は、接続管４６を外し薬液ボトル２０を取り出し、薬液ボトル２０に薬液を補充し、再度、凹形状部９へセッティングする。
当日の入浴作業をすべて終了する時は、入浴終了の直後に、浴槽排水弁４５を開け、浴槽３の貯湯を排出し捨てる。
【産業上の利用可能性】
【００３８】
本発明は、身体障害者及び高齢者（以下、要介護者）、特に要介護度の高い要介護者の介護入浴を行なうタンク併設型入浴装置に適用できる。
又、本発明は、浴槽３内を長尺範囲に占有する寝位入浴と座位入浴のいずれも１台の浴槽３で実施できることを特徴とするタンク併設型入浴装置に適用できる。
【符号の説明】
【００３９】
１    正面側壁
２    扉
３    浴槽
４    搬送車
５    タンク
６    湯移動装置
７    支持部材
９    凹形状部
１０    浴槽主部
１１    浴槽副部
１２    覆い部材
１３    座位搬送車
１４    寝位搬送車
１６    操作パネル
２０    薬液ボトル
３４    ずれ止
４６    接続管
５２    扉凹形状部
【図１】
0005493187.tif 000002
【図２】
0005493187.tif 000003
【図３】
0005493187.tif 000004
【図４】
0005493187.tif 000005
【図５】
0005493187.tif 000006
【図６】
0005493187.tif 000007